(57)【特許請求の範囲】
【請求項１】
所定の方向に負勢されると共に、マグネットコイルによって前記負勢に抗して始端位置から終端位置まで駆動される稼働鉄片と、前記マグネットコイルにより励磁される固定鉄片と、前記固定鉄片を有する基部に一端が固着された弾性力を有するバネ板と、前記バネ板に設けられた係止部を有し、前記始端位置から終端位置に至る途中の待機位置に該稼働鉄片を係止する係止手段と、前記バネ板に設けられ、前記待機位置と終端位置との間の前記稼動鉄片の移動経路に配置されると共に、所定位置に駆動された稼働鉄片と接当する突起と、前記マグネットコイルへの通電経路に介在され、前記稼働鉄片が始端位置から待機位置に至るまで前記マグネットコイルへの通電が可能な状態を維持し、待機位置から終端位置に稼働鉄片が移動する間に該稼動鉄片と前記突起との接当に伴う前記バネ板の弾性変形に連動して前記マグネットコイルへの通電経路を遮断し、稼働鉄片が前記負勢により始端位置に復帰する際の前記接当の解消に伴う前記バネ板の復帰に連動して前記マグネットコイルへの通電が可能な状態になるスイッチ手段とを備えたことを特徴とするスイッチ用制御装置。
【請求項２】
所定の方向に負勢されると共に、マグネットコイルによって前記負勢に抗して始端位置から終端位置まで駆動される稼働鉄片と、前記マグネットコイルにより励磁される固定鉄片と、前記固定鉄片を有する基部に一端が固着された弾性力を有するバネ板と、前記バネ板に設けられた係止部を有し、前記始端位置から終端位置に至る途中の待機位置に該稼働鉄片を係止する係止手段と、前記バネ板に設けられ、前記待機位置と終端位置との間の前記稼動鉄片の移動経路に配置されると共に、所定位置に駆動された稼働鉄片と接当する突起と、前記マグネットコイルへの通電経路に介在され、前記稼働鉄片が始端位置から待機位置に至るまで前記マグネットコイルへの通電が可能な状態を維持し、待機位置から終端位置に稼働鉄片が移動する間に該稼働鉄片と前記突起との接当に伴う前記バネ板の弾性変形に連動して前記マグネットコイルへの通電経路を遮断し、稼働鉄片が前記負勢により始端位置に復帰する際の前記接当の解消に伴う前記バネ板の復帰に連動して前記マグネットコイルへの通電が可能な状態になるスイッチ手段とを備えてなるスイッチ用制御装置と、
主回路に設けられ、前記稼働鉄片を介して前記マグネットコイルに駆動されるマグネットスイッチと、
前記マグネットコイルへの通電経路に介在され、前記マグネットスイッチがＯＦＦ状態でＯＮとなる常閉接点と、前記マグネットスイッチがＯＮ状態でＯＮとなる常開接点とを備えた切換スイッチを有する切換機構と、
前記切換スイッチにより分岐された前記常閉接点を経由する前記マグネットコイルへの通電経路に介在された始動用押ボタンスイッチと、
前記切換スイッチにより分岐された前記常開接点を経由する前記マグネットコイルへの通電経路に介在された停止用押ボタンスイッチと、を備え、
上記始動用押ボタンスイッチを押すと、上記常閉接点を介して上記マグネットコイルが通電状態となり、上記稼働鉄片が始端位置から待機位置に移動することにより、上記マグネットスイッチがＯＮとなると共に、上記係止手段により当該状態が保持され、
当該状態で、上記停止用押ボタンスイッチを押すと、上記常開接点を介して上記マグネットコイルが通電状態となり、上記稼働鉄片が待機位置から終端位置を経由して始端位置に移動することにより、上記マグネットスイッチがＯＦＦとなるマグネットスイッチ開閉制御装置。
【請求項３】
所定の方向に負勢されると共に、マグネットコイルによって前記負勢に抗して始端位置から終端位置まで駆動される稼働鉄片と、前記マグネットコイルにより励磁される固定鉄片と、前記固定鉄片を有する基部に一端が固着された弾性力を有するバネ板と、前記バネ板に設けられた係止部を有し、前記始端位置から終端位置に至る途中の待機位置に該稼働鉄片を係止する係止手段と、前記バネ板に設けられ、前記待機位置と終端位置との間の前記稼動鉄片の移動経路に配置されると共に、所定位置に駆動された稼働鉄片と接当する突起と、前記マグネットコイルへの通電経路に介在され、前記稼働鉄片が始端位置から待機位置に至るまで前記マグネットコイルへの通電が可能な状態を維持し、待機位置から終端位置に稼働鉄片が移動する間に該稼働鉄片と前記突起との接当に伴う前記バネ板の弾性変形に連動して前記マグネットコイルへの通電経路を遮断し、稼働鉄片が前記負勢により始端位置に復帰する際の前記接当の解消に伴う前記バネ板の復帰に連動して前記マグネットコイルへの通電が可能な状態になるスイッチ手段とを備えてなるスイッチ用制御装置と、
主回路に設けられ、前記稼働鉄片を介して前記マグネットコイルに駆動されるマグネットスイッチと、
前記マグネットコイルへの通電経路に介在され、前記マグネットスイッチがＯＦＦ状態でＯＮとなる常閉接点と、前記マグネットスイッチがＯＮ状態でＯＮとなる常開接点とを備えた切換スイッチを有する切換機構と、
前記マグネットコイルへの通電経路に介在され、前記常閉接点と前記常開接点との双方に接続された始動停止兼用押ボタンスイッチと、を備え、
上記押ボタンスイッチを押すと、上記常閉接点を介して上記マグネットコイルが通電状態となり、上記稼働鉄片が始端位置から待機位置に移動することにより、上記マグネットスイッチがＯＮとなると共に、上記係止手段により当該状態が保持され、
当該状態で、上記押ボタンスイッチをもう一度押すと、上記常開接点を介して上記マグネットコイルが通電状態となり、上記稼働鉄片が待機位置から終端位置を経由して始端位置に移動することにより、上記マグネットスイッチがＯＦＦとなるマグネットスイッチ開閉制御装置。
【発明の詳細な説明】
【０００１】
【発明の属する技術分野】
本発明は、モータ等の負荷部への通電を制御するスイッチ用制御装置及びマグネットスイッチ開閉制御装置に関するものである。
【０００２】
【従来の技術】
従来、マグネットスイッチ開閉制御装置は、図７にその回路構成を示すように、常閉状態の停止用押ボタンスイッチ５０、常開状態の始動用押ボタンスイッチ５１、励磁用のマグネットコイル５２及び過電流発生時に作動する過電流スイッチ５３を接続し、始動用押ボタンスイッチ５１の入出力端子と共用するようにスイッチ５４を接続し、モータ等の負荷部５５を接続した主回路５６の２相間（例えばＲ及びＳ間）に接続され、スイッチ５４及びマグネットスイッチ５７をマグネットコイル５２の励磁により駆動して開閉する構成である。
【０００３】
そして、前記始動用押ボタンスイッチ５１を押すと、主回路５６のＲ相からの電流が、入力端子５８、停止用押ボタンスイッチ５０、始動用押ボタンスイッチ５１、マグネットコイル５２及び過電流スイッチ５３、出力端子５９を経由して、主回路５６のＳ相に流れ、マグネットコイル５２の磁力によりスイッチ５４をＯＮ状態にし、かつ、マグネットスイッチ５７をＯＮ状態にする。
【０００４】
これにより、始動用押ボタンスイッチ５１を押すのを止めても、マグネットコイル５２及び主回路５６に電気が流れ、マグネットコイル５２が励磁した状態で、モータ等の負荷部５５が運転を継続する。
【０００５】
次ぎに、常閉状態の停止用押ボタンスイッチ５０を押すと、当該マグネットスイッチ開閉制御装置の導通が遮断されてマグネットコイル５２が励磁しなくなり、バネ等の弾発力により弾発してスイッチ５４及びマグネットスイッチ５７がＯＦＦ状態になり、主回路５６の通電が遮断され、負荷部５５の運転が停止する。このように、主回路５６に電気を供給するために、マグネットスイッチ５７をバネ等の弾発力に抗してＯＮ状態に保持する必要から、マグネットコイル５２に常に通電して、マグネットコイル５２を励磁させておかなければならず、不経済であった。
【０００６】
【発明が解決しようとする課題】
本発明は、主回路のマグネットスイッチの開閉時のみ、通電してマグネットコイルを励磁させ、主回路への通電中には、当該マグネットコイルには通電する必要のないスイッチ用制御装置及びマグネットスイッチ開閉制御装置を提供することを課題とする。
【０００７】
【課題を解決するための手段】
上記目的を達成するため、請求項１のスイッチ用制御装置は、所定の方向に負勢されると共に、マグネットコイルによって前記負勢に抗して始端位置から終端位置まで駆動される稼働鉄片と、前記マグネットコイルにより励磁される固定鉄片と、前記固定鉄片を有する基部に一端が固着された弾性力を有するバネ板と、前記バネ板に設けられた係止部を有し、前記始端位置から終端位置に至る途中の待機位置に該稼働鉄片を係止する係止手段と、前記バネ板に設けられ、前記待機位置と終端位置との間の前記稼動鉄片の移動経路に配置されると共に、所定位置に駆動された稼働鉄片と接当する突起と、前記マグネットコイルへの通電経路に介在され、前記稼働鉄片が始端位置から待機位置に至るまで前記マグネットコイルへの通電が可能な状態を維持し、待機位置から終端位置に稼働鉄片が移動する間に該稼動鉄片と前記突起との接当に伴う前記バネ板の弾性変形に連動して前記マグネットコイルへの通電経路を遮断し、稼働鉄片が前記負勢により始端位置に復帰する際の前記接当の解消に伴う前記バネ板の復帰に連動して前記マグネットコイルへの通電が可能な状態になるスイッチ手段とを備えてなる構成である。
【０００８】
この構成によれば、スイッチ用制御装置の稼働鉄片が励磁力により引きつけられて始端位置から待機位置に移動して係止手段により保持されるため、当該スイッチ用制御装置への通電がなくても主回路への通電状態を保持することができ、又、当該係止が解除されて前記待機位置から終端位置に稼働鉄片が移動し、稼働鉄片が始端位置に復帰すると、主回路への通電を遮断することができる。
【０００９】
請求項２のマグネットスイッチ開閉制御装置は、所定の方向に負勢されると共に、マグネットコイルによって前記負勢に抗して始端位置から終端位置まで駆動される稼働鉄片と、前記マグネットコイルにより励磁される固定鉄片と、前記固定鉄片を有する基部に一端が固着された弾性力を有するバネ板と、前記バネ板に設けられた係止部を有し、前記始端位置から終端位置に至る途中の待機位置に該稼働鉄片を係止する係止手段と、前記バネ板に設けられ、前記待機位置と終端位置との間の前記稼動鉄片の移動経路に配置されると共に、所定位置に駆動された稼働鉄片と接当する突起と、前記マグネットコイルへの通電経路に介在され、前記稼働鉄片が始端位置から待機位置に至るまで前記マグネットコイルへの通電が可能な状態を維持し、待機位置から終端位置に稼働鉄片が移動する間に該稼働鉄片と前記突起との接当に伴う前記バネ板の弾性変形に連動して前記マグネットコイルへの通電経路を遮断し、稼働鉄片が前記負勢により始端位置に復帰する際の前記接当の解消に伴う前記バネ板の復帰に連動して前記マグネットコイルへの通電が可能な状態になるスイッチ手段とを備えてなるスイッチ用制御装置と、主回路に設けられ、前記稼働鉄片を介して前記マグネットコイルに駆動されるマグネットスイッチと、前記マグネットコイルへの通電経路に介在され、前記マグネットスイッチがＯＦＦ状態でＯＮとなる常閉接点と、前記マグネットスイッチがＯＮ状態でＯＮとなる常開接点とを備えた切換スイッチを有する切換機構と、前記切換スイッチにより分岐された前記常閉接点を経由する前記マグネットコイルへの通電経路に介在された始動用押ボタンスイッチと、前記切換スイッチにより分岐された前記常開接点を経由する前記マグネットコイルへの通電経路に介在された停止用押ボタンスイッチとよりなり、上記始動用押ボタンスイッチを押すと、上記常閉接点を介して上記マグネットコイルが通電状態となり、上記稼働鉄片が始端位置から待機位置に移動することにより、上記マグネットスイッチがＯＮとなると共に、上記係止手段により当該状態が保持され、当該状態で、上記停止用押ボタンスイッチを押すと、上記常開接点を介して上記マグネットコイルが通電状態となり、上記稼働鉄片が待機位置から終端位置を経由して始端位置に移動することにより、上記マグネットスイッチがＯＦＦとなる構成である。
【００１０】
この構成によれば、始端位置から待機位置に至るまでの間ＯＮ状態を維持し、待機位置から終端位置に移動する間にＯＦＦとなり、始端位置に復帰するとＯＮになるスイッチ手段を備えているため、スイッチ用制御装置の稼働鉄片が始端位置から待機位置まで移動すること、及び、稼働鉄片が待機位置から終端位置を経由して始端位置に移動することにより切換スイッチと連動してマグネットスイッチの開閉を制御することができ、主回路のマグネットスイッチの開閉時のみ、スイッチ用制御装置に通電すればよく、励磁させる時間が短くて済み、電気的開閉耐久性（寿命）を向上させることができる。
【００１１】
請求項３のマグネットスイッチ開閉制御装置は、所定の方向に負勢されると共に、マグネットコイルによって前記負勢に抗して始端位置から終端位置まで駆動される稼働鉄片と、前記マグネットコイルにより励磁される固定鉄片と、前記固定鉄片を有する基部に一端が固着された弾性力を有するバネ板と、前記バネ板に設けられた係止部を有し、前記始端位置から終端位置に至る途中の待機位置に該稼働鉄片を係止する係止手段と、前記バネ板に設けられ、前記待機位置と終端位置との間の前記稼動鉄片の移動経路に配置されると共に、所定位置に駆動された稼働鉄片と接当する突起と、前記マグネットコイルへの通電経路に介在され、前記稼働鉄片が始端位置から待機位置に至るまで前記マグネットコイルへの通電が可能な状態を維持し、待機位置から終端位置に稼働鉄片が移動する間に該稼働鉄片と前記突起との接当に伴う前記バネ板の弾性変形に連動して前記マグネットコイルへの通電経路を遮断し、稼働鉄片が前記負勢により始端位置に復帰する際の前記接当の解消に伴う前記バネ板の復帰に連動して前記マグネットコイルへの通電が可能な状態になるスイッチ手段とを備えてなるスイッチ用制御装置と、主回路に設けられ、前記稼働鉄片を介して前記マグネットコイルに駆動されるマグネットスイッチと、前記マグネットコイルへの通電経路に介在され、前記マグネットスイッチがＯＦＦ状態でＯＮとなる常閉接点と、前記マグネットスイッチがＯＮ状態でＯＮとなる常開接点とを備えた切換スイッチを有する切換機構と、前記マグネットコイルへの通電経路に介在され、前記常閉接点と前記常開接点との双方に接続された始動停止兼用押ボタンスイッチと、を備え、上記押ボタンスイッチを押すと、上記常閉接点を介して上記マグネットコイルが通電状態となり、上記稼働鉄片が始端位置から待機位置に移動することにより、上記マグネットスイッチがＯＮとなると共に、上記係止手段により当該状態が保持され、当該状態で、上記押ボタンスイッチをもう一度押すと、上記常開接点を介して上記マグネットコイルが通電状態となり、上記稼働鉄片が待機位置から終端位置を経由して始端位置に移動することにより、上記マグネットスイッチがＯＦＦとなる構成である。
【００１２】
この構成によれば、スイッチ機構を始動及び停止を一つの押ボタンスイッチで、スイッチ用制御装置への通電を制御することができ、当該マグネットスイッチ開閉制御装置を簡素化することができる。
【００１３】
【発明の実施の形態】
本発明の実施の形態を実施例に基づき図面を参照して説明する。
【００１４】
本発明の第１の実施例に係るマグネットスイッチ開閉制御装置は、図１に示すように、モータ等の負荷部１を接続した主回路２に配設したマグネットスイッチ３を開閉するスイッチ用制御装置６と、スイッチ用制御装置６への通電を制御するスイッチ機構４、切換機構５、配線機構７からなり、これらを主回路２のＲ相及びＳ間に接続してなるものである。
【００１５】
スイッチ機構４は、入力端子１０に、始動用押ボタンスイッチ１１、停止用押ボタンスイッチ１２及び過電流スイッチ１３をそれぞれ接続してなるものである。
【００１６】
切換機構５は、始動用押ボタンスイッチ１１の出力側に常閉接点１４を、停止用押ボタンスイッチ１２及び過電流スイッチ１３の出力側に常開接点１５をそれぞれ接続し、この常閉接点１４及び常開接点１５を配した切換スイッチ１６を接続し、当該切換スイッチ１６の出力側を出力端子１７に接続し、この切換スイッチ１６をスイッチ用制御装置６によりマグネットスイッチ３と連動して開閉するようにしてなるものである。
【００１７】
スイッチ用制御装置６は、図３に示すように、マグネットコイル２４により励磁される固定鉄片を有する基部２０と、この基部２０の上方に往復移動自在に保持され、前記固定鉄片と逆方向（図面上、上方向）に負勢されると共に、マグネットコイルによって前記負勢に抗して駆動される稼働鉄片３１とからなり、これら基部２０及び稼働鉄片３１に係止手段及びスイッチ手段を設けてなるものである。
【００１８】
前記基部２０は、マグネットコイル２４により励磁される固定鉄片とをケース（図示せず）に配設し、側面下方に弾性力を有するバネ板２５の一端を固着し、側面上方に、リミットスイッチ２１を配した取付部２９を設け、接触子２８の動作によりリミットスイッチ２１を開閉できるように、当該取付部２９に接触子２８の一端を固着し、当該接触子２８の他端を前記バネ板２５に弾性力により接当させ、この接当部付近のバネ板２５に誘導突起２６を突設し、バネ板２５の他端に係止部２７を突設し、入力端子２２、マグネットコイル２４、リミットスイッチ２１、出力端子２３の順にそれぞれ接続してなり、スイッチ手段は、リミットスイッチ２１、バネ板２５、接触子２８、取付部２９とで構成されてなるものである。
【００１９】
前記稼働鉄片３１は、基部２０を配設したケース（図示せず）上部に往復移動自在に配設され、側面上方に係止突起３２を側面右方に張り出すように突設し、側面略中央に誘導端部３３を側面と略並行に垂下させてなり、常時固定鉄片と逆方向（図面上、上方向）にコイルバネ（図示せず）等により引き上げられた状態に負勢され、このバネ等の力に抗して、励磁した基部２０に引きつけられ、励磁が解除されると当該負勢力により上方に引き上げられるものである。
【００２０】
すなわち、前記スイッチ用制御装置６において、係止手段は、基部２０のバネ板２５及び係止部２７と、稼働鉄片３１の係止突起３２とで構成されてなり、スイッチ手段は、基部２０のリミットスイッチ２１、バネ板２５、誘導突起２６及び接触子２８と、稼働鉄片３１の誘導端部３３とで構成されてなるものである。
【００２１】
配線機構７は、上記始動用押ボタンスイッチ１１を押すと、上記切換機構５の常閉接点１４を介して上記マグネットコイル２４がＯＮとなり、該マグネットコイル２４に駆動されるマグネットスイッチ３がＯＮとなるに伴って切換機構５の常開接点１５をＯＮにすると共に、上記スイッチ用制御装置６の係止手段が稼働鉄片３１を待機位置に保持し、上記停止用押ボタンスイッチ１２を押すと、上記切換機構５の常開接点１５を介して上記マグネットコイル２４がＯＮとなり、稼働鉄片３１を待機位置から終端位置を経由して始端位置に復帰させるものである。
【００２２】
次ぎに、前記回路の動作について説明する。
【００２３】
スイッチ機構４の始動用押ボタンスイッチ１１を押すと、図３に示すように、主回路２のＲ相からの電流が、スイッチ機構４の入力端子１０、始動用押ボタンスイッチ１１、常閉接点１４、切換スイッチ１６、出力端子１７、スイッチ用制御装置６の入力端子２２、マグネットコイル２４、リミットスイッチ２１、出力端子２３を経由して、主回路２のＳ相に流れる。
【００２４】
これにより、バネ等により上方に負勢されている稼働鉄片３１が、スイッチ用制御装置６の基部２０のマグネットコイル２４により発生した磁力で吸引され、前記負勢に抗して始端位置から待機位置まで移動し、当該稼働鉄片３１の係止突起３２が、基部２０に取り付けたバネ板２５の係止部２７に係止し、稼働鉄片３１は、これら係止手段により途中まで引き下げられた状態（待機位置）で保持される。
【００２５】
又、前記マグネットコイル２４により発生する磁力により、主回路２の各マグネットスイッチ３がＯＮ状態になり、かつ、切換スイッチ１６が常開接点１５と接当するように切り換えられる。
【００２６】
この結果、当該スイッチ用制御装置６は、図４に示すように、係止手段により稼働鉄片３１が待機位置に保持され、スイッチ手段を構成する接触子２８がバネ板２５と接触して跳ね上がりを抑制され、リミットスイッチ２１がＯＮ状態に保持されて、スイッチ用制御装置６の通電可能状態が確保されたまま、スイッチ機構４の切換スイッチ１６により電気が遮断された状態となり、主回路２は、図２に示すように、各マグネットスイッチ３がＯＮ状態になり、モータ等の負荷部１に電気が供給される。
【００２７】
前記負荷部１の運転を停止するために、スイッチ機構４の停止用押ボタンスイッチ１２を押すと、主回路２のＲ相からの電流が、スイッチ機構４の入力端子１０、停止用押ボタンスイッチ１２、常開接点１５、切換スイッチ１６、出力端子１７、スイッチ用制御装置６の入力端子２２、マグネットコイル２４、リミットスイッチ２１、出力端子２３を経由して、主回路のＳ相に流れる。
【００２８】
これにより、図４に示す状態、すなわち待機位置から、稼働鉄片３１が、基部２０のマグネットコイル２４により励磁した基部２０に吸引されてさらに引き下げられ、終端位置へと駆動され、稼働鉄片３１が係止手段による係止から開放され、スイッチ手段によりリミットスイッチ２１がＯＦＦとなる。
【００２９】
すなわち、待機位置にあった稼働鉄片３１の係止突起３２が基部２０のバネ板２５の係止部２７から外れると共に、稼働鉄片３１の誘導端部３３が基部２０のバネ板２５の誘導突起２６に接当し、前記誘導端部３３が前記誘導突起２６を押し上げ、ついには、基部２０と稼働鉄片３１とが接当し、接触子２８とバネ板２５との接触が離れて接触子２８が跳ね上がり、接触子２８により押し下げられていたリミットスイッチ２１がＯＦＦとなり、スイッチ手段によりマグネットコイル２４への通電が遮断され、稼働鉄片３１が係止手段による係止から開放されて、終端位置まで移動し、図５に示す状態となる。
【００３０】
これにより、基部２０は、磁力が発生しなくなって吸引力を失い、稼働鉄片３１は、バネ等の弾発力で上方に瞬間的に引き上げられ、始端位置、すなわち、図３に示す状態に戻る。
【００３１】
この稼働鉄片３１の動きにより、主回路２の各マグネットスイッチ３がＯＦＦとなり、かつ、切換スイッチ１６が切り替わって常閉接点１４と接当する。
この結果、主回路２は、電気の供給が遮断されて負荷部１の運転が停止し、当該マグネットスイッチ開閉制御装置は、スイッチ用制御装置６のリミットスイッチ２１が接触子２８を介してバネ板２５により押し下げられてＯＮ状態となり、スイッチ用制御装置６が通電可能状態を保持したまま、スイッチ機構４の始動用押ボタンスイッチ１１及び停止用押ボタンスイッチ１２がＯＦＦとなり、切換スイッチ１６が常閉接点１４と接当し、図１に示す状態に戻る。
【００３２】
以上のように、当該スイッチ用制御装置及びマグネットスイッチ開閉制御装置は、前記サイクルを繰り返し、作動するものである。
【００３３】
本発明の第２の実施例に係るマグネットスイッチ開閉制御装置は、図６に示すように、スイッチ機構４と切換機構５とスイッチ用制御装置６と配線機構７からなり、第１の実施例とは、このスイッチ機構４と切換機構５の構成が異なるものである。
【００３４】
スイッチ機構４は、入力端子４０に、始動停止兼用押ボタンスイッチ４１及び過電流スイッチ４２をそれぞれ接続し、この始動停止兼用押ボタンスイッチ４１の出力側を出力端子４３に接続してなるものである。
【００３５】
切換機構５は、始動停止兼用押ボタンスイッチ４１の出力側に接続した常閉接点４４及び常開接点４５を配した切換スイッチ４６を接続し、スイッチ用制御装置６により当該切換スイッチ４６とマグネットスイッチ３と連動して開閉するようにしてなるものである。
【００３６】
スイッチ用制御装置６及び配線機構７の構成は、第１の実施例と同様である。
【００３７】
次ぎに、第２の実施例の動作について説明する。
【００３８】
スイッチ機構４の始動停止兼用押ボタンスイッチ４１を押すと、主回路２のＲ相からの電流が、スイッチ機構４の入力端子４０、始動停止兼用押ボタンスイッチ４１、出力端子４３、切換機構５の常閉接点４４、切換スイッチ４６、スイッチ用制御装置６を経由して、主回路２のＳ相に流れる。
【００３９】
これにより、スイッチ用制御装置６が前記実施例と同様に作動して、マグネットコイル２４が励磁し、稼働鉄片３１が始端位置から待機位置まで移動して係止手段により係止され、スイッチ手段によりＯＮ状態を保持され、切換スイッチ４６が常開接点４５と接当するように切り換えられ、主回路２の各マグネットスイッチ３をＯＮ状態にし、スイッチ用制御装置６は、通電可能状態のまま、スイッチ機構４により電気が遮断された状態となり、主回路２には通電されてモータ等の負荷部１に電気が供給される。
【００４０】
前記負荷部１の運転を停止するためにスイッチ機構４の始動停止兼用押ボタンスイッチ４１を押すと、主回路２のＲ相からの電流が、スイッチ機構４の入力端子４０、始動停止兼用押ボタンスイッチ４１、出力端子４３、切換機構５の常開接点４５、切換スイッチ４６、スイッチ用制御装置６を経由して、主回路２のＳ相に流れる。
【００４１】
これにより、マグネットコイル２４が励磁し、稼働鉄片３１が、係止手段による係止から開放され、待機位置から終端位置まで移動し、この間にスイッチ手段のリミットスイッチ２１がＯＦＦとなり、稼働鉄片３１が始端位置に復帰すると該リミットスイッチ２１がＯＮになり、主回路２の各マグネットスイッチ３を遮断し、図６示した状態に戻り、負荷部１の運転は停止する。
【００４２】
以上のように、当該スイッチ機構スイッチ用制御装置及びマグネットスイッチ開閉制御装置は、前記サイクルを繰り返し、作動するものである。
【００４３】
前記実施例では、マグネットスイッチ開閉制御装置を主回路２のＲ相及びＳ間に接続した例で説明したが、当該マグネットスイッチ開閉制御装置に供給される電源は、主回路２のいずれのＲ相、Ｓ相、Ｔ相からでもよく、又、主回路２からだけでなく別の電源から供給するようにしてもよく、特に限定するものではない。
【００４４】
前記実施例では、三相交流電源を利用した主回路の例で説明したが、当該マグネットスイッチ開閉制御装置は、三相交流電源を使用する回路だけでなく、二相交流電源、直流電源のいずれの回路にも使用でき、主回路は、特に限定するものではない。
【００４５】
前記実施例では、スイッチ用制御装置６の稼働鉄片３１の係止突起３２が、同基部２０のバネ板２５の係止部２７に係止して、バネ等の弾発力に抗して当該稼働鉄片３１が待機位置に保持され、さらに、基部２０の励磁により吸引された稼働鉄片３１が、稼働鉄片３１の誘導端部３３とバネ板２５の誘導突起２６とにより、前記係止を解除し、終端位置を経由して始端位置まで弾発する構成とした例で説明したが、スイッチ機構４によりスイッチ用制御装置６への通電が制御でき、スイッチ用制御装置６への通電がなくても、主回路２への通電状態を保持することができるものであれば、これら基部２０、稼働鉄片３１、バネ板２５、誘導突起２６、係止部２７、接触子２８、係止突起３２及び誘導端部３３の形状、材質又は絶縁方法は、特に限定するものではない。
【００４６】
前記実施例では、スイッチ用制御装置６の入力端子２２、マグネットコイル２４、リミットスイッチ２１、出力端子２３の順に接続した例で説明したが、入力端子２２、リミットスイッチ２１、マグネットコイル２４、出力端子２３の順に接続してもよい。
【００４７】
【発明の効果】
以上の説明から明らかなように本発明に係るスイッチ用制御装置及びマグネットスイッチ開閉制御装置は、以下に列挙する実用上の様々の優れた効果を有する。
【００４８】
本発明に係るスイッチ用制御装置及びマグネットスイッチ開閉制御装置は、スイッチ用制御装置の稼働鉄片が励磁力により引きつけられて始端位置から待機位置に移動して係止手段により係止状態が保持され、スイッチ手段によりＯＮ状態に保持され、又、当該係止が解除されて前記待機位置から終端位置に稼働鉄片が移動する間にスイッチ手段によりＯＦＦとなり、稼働鉄片が始端位置に復帰するとスイッチ手段によりＯＮになり、主回路への通電を遮断することができる構成としているため、主回路のマグネットスイッチの開閉時のみ、スイッチ用制御装置に通電して励磁させ、主回路の通常通電中には、当該スイッチ用制御装置には通電する必要がなく、経済的である。
【００４９】
又、主回路のマグネットスイッチの開閉時のみ、スイッチ用制御装置に通電して励磁させる構成としているため、励磁させる時間が短くて済み、電気的開閉耐久性（寿命）を向上させることができる。
【００５０】
本発明に係るマグネットスイッチ開閉制御装置は、スイッチ機構を始動及び停止を一つの押ボタンスイッチ兼用することにより、当該装置を簡素化することができる。
【図面の簡単な説明】
【図１】本発明の第１の実施例に係るマグネットスイッチ開閉制御装置の回路図であ
る。
【図２】図１における主回路がＯＮ状態を示すマグネットスイッチ開閉制御装置の回路図である。
【図３】本発明の実施例に係るスイッチ用制御装置の説明図であって、稼働鉄片が始端位置にある場合を示す。
【図４】図３におけるスイッチ用制御装置の一部省略説明図であって、稼働鉄片が待機位置にある場合を示す。
【図５】図３におけるスイッチ用制御装置の一部省略説明図であって、稼働鉄片が終端位置にある場合を示す。
【図６】本発明の第２の実施例に係るマグネットスイッチ開閉制御装置の回路図である。
【図７】従来のマグネットスイッチ開閉制御装置を示す回路図である。
【符号の説明】
１          負荷部
２          主回路
３          マグネットスイッチ
４          スイッチ機構
５          切換機構
６          スイッチ用制御装置
７          配線機構
１１        始動用押ボタンスイッチ
１２        停止用押ボタンスイッチ
１４        常閉接点
１５        常開接点
１６        切換スイッチ
２４        マグネットコイル
３１        稼働鉄片
４１        始動停止兼用押ボタンスイッチ
４４        常閉接点
４５        常開接点
４６        切換スイッチ
【図１】
0003883323.tif 000002
【図２】
0003883323.tif 000003
【図３】
0003883323.tif 000004
【図４】
0003883323.tif 000005
【図５】
0003883323.tif 000006
【図６】
0003883323.tif 000007
【図７】
0003883323.tif 000008